(57)【要約】【課題】対象物への緩衝を優先する状態、又は小型化を優先する状態に切り替えることができる緩衝装置、記憶媒体保持装置及び記憶媒体収納システムを提供することを課題とする。【解決手段】ＨＤＤユニット１は、ＨＤＤ１０及びケース２０を包囲し弾性変形可能な緩衝部材３０と、緩衝部材３０を、ＨＤＤ１０及びケース２０との隙間が小さく平坦な平坦状態、又は前記隙間が大きくなるようにＨＤＤ１０及びケース２０の外側に撓んだ撓み状態、に切替可能なレバー２８及び規制体４０と、を備えている。【選択図】図３
2010280396.tif 000002
【特許請求の範囲】
【請求項１】
対象物を包囲し弾性変形可能な緩衝部材と、
前記緩衝部材を、前記対象物との隙間が小さく平坦な平坦状態、又は前記隙間が大きくなるように前記対象物の外側に撓んだ撓み状態、に切替可能な切替機構と、を備えた緩衝装置。
【請求項２】
前記緩衝部材は、前記対象物に対して所定方向にスライド可能であり、
前記切替機構は、
前記緩衝部材を前記所定方向に押す押圧部、
前記押圧部に押されることによる前記緩衝部材のスライドを許容して前記緩衝部材を前記平坦状態にし、又は前記押圧部に押されることによる前記緩衝部材のスライドを規制して前記緩衝部材を圧縮して前記撓み状態にする規制部、を含む、請求項１の緩衝装置。
【請求項３】
前記規制部は、前記緩衝部材に対して位置関係が変更可能に係合し、前記位置関係に応じて前記平坦状態又は前記撓み状態に切替可能な規制体を含む、請求項２の緩衝装置。
【請求項４】
前記押圧部は、前記対象物に開閉可能に連結され、前記ケースを閉じることにより前記緩衝部材を押す開閉体を含む、請求項２の緩衝装置。
【請求項５】
前記位置関係は、該記緩衝装置を収納装置に収納する際に、前記収納装置に設けられた当接部に前記規制体が接触することにより変更される、請求項３の緩衝装置。
【請求項６】
前記位置関係は、前記押圧部が前記緩衝部材を押していないときに変更可能である、請求項３の緩衝装置。
【請求項７】
記憶媒体と、
前記記憶媒体を包囲し弾性変形可能な緩衝部材と、
前記緩衝部材を、前記記憶場体との隙間が小さく平坦な平坦状態、又は前記隙間が大きくなるように前記記憶媒体の外側に撓んだ撓み状態、に切替可能な切替機構と、を備えた記憶媒体保持装置。
【請求項８】
請求項７の記憶媒体保持装置と、
前記記憶媒体保持装置を収納可能な収納装置と、を備えた記憶媒体収納システム。
【発明の詳細な説明】
【技術分野】
【０００１】
本発明は、緩衝装置、記憶媒体保持装置及び記憶媒体収納システムに関する。
【背景技術】
【０００２】
対象物を衝撃から保護する技術が知られている。例えば、エアクッション又は弾性部材等の緩衝部材が対象物を包囲することにより、対象物への衝撃を緩和する。関連技術として特許文献１がある。
【先行技術文献】
【特許文献】
【０００３】
【特許文献１】特開平１０−２５６７４０号公報
【特許文献２】特開２００２−３５２５７５号公報
【発明の概要】
【発明が解決しようとする課題】
【０００４】
例えば、対象物を携帯や輸送する際には対象物を緩衝することが望ましい。しかしながら、緩衝部材が対象物を包囲すると緩衝部材を含む対象物の大きさが大型化する。一方、対象物を収納、又は据え置きする際には緩衝する必要性は乏しい。例えば、対象物を限られたスペース内に収納する際には、緩衝部材が収納の妨げになる恐れがある。
【０００５】
そこで本発明は上記の課題に鑑みてなされたものであり、対象物への緩衝を優先する状態、又は小型化を優先する状態に切り替えることができる緩衝装置、記憶媒体保持装置及び記憶媒体収納システムを提供することを目的とする。
【課題を解決するための手段】
【０００６】
本明細書に開示の緩衝装置は、対象物を包囲し弾性変形可能な緩衝部材と、前記緩衝部材を、前記対象物との隙間が小さく平坦な平坦状態、又は前記隙間が大きくなるように前記対象物の外側に撓んだ撓み状態、に切替可能な切替機構と、を備えている。
【０００７】
本明細書に開示の記憶媒体保持装置は、記憶媒体と、前記記憶媒体を包囲し弾性変形可能な緩衝部材と、前記緩衝部材を、前記記憶場体との隙間が小さく平坦な平坦状態、又は前記隙間が大きくなるように前記記憶媒体の外側に撓んだ撓み状態、に切替可能な切替機構と、を備えている。
【０００８】
本明細書に開示の記憶媒体収納システムは、上記の記憶媒体保持装置と、前記記憶媒体保持装置を収納可能な収納装置と、を備えている。
【発明の効果】
【０００９】
対象物への緩衝を優先する状態、又は小型化を優先する状態に切り替えることができる緩衝装置、記憶媒体保持装置及び記憶媒体収納システムを提供する。
【図面の簡単な説明】
【００１０】
【図１】図１Ａは、記憶媒体収納システムの説明図、図１Ｂは、シャーシの正面図、図１Ｃは、図１ＢのＡ−Ａ断面図。
【図２】図２は、ＨＤＤユニットの分解斜視図。
【図３】図３Ａ、３Ｂは、ＨＤＤユニットの説明図。
【図４】図４Ａ、４Ｂは、緩衝部材が撓んだ状態でのＨＤＤユニットの説明図、図４Ｃは、係合孔の説明図。
【図５】図５Ａは、５Ｂは、緩衝部材が平坦な状態でのＨＤＤユニットの説明図。
【図６】図６Ａ、６Ｂ平坦状態での係合孔の説明図。
【図７】図７Ａ、７Ｂは、ＨＤＤユニットの収納の説明図。
【発明を実施するための形態】
【００１１】
図１Ａは、記憶媒体収納システムの説明図である。
記憶媒体収納システムは、ハードディスクユニット（以下、ＨＤＤユニットと称する）１、シャーシ１００を含む。シャーシ１００内にはＨＤＤユニット１が３つ収納されている。ＨＤＤユニット１は記憶媒体保持装置に相当する。記憶媒体収納システムは、例えばＲＡＩＤ（Redundant Array of Inexpensive Disks）に採用される。
【００１２】
図１Ｂは、シャーシ１００の正面図、図１Ｃは、図１ＢのＡ−Ａ断面図である。
図１Ｂに示すように、シャーシ１００は、天板１１０、２つの側壁１４０を含む。側壁１４０の内側には、ＨＤＤユニット１の収納を案内するガイドレール１４２、１４３が複数設けられている。また、側壁１４０の内側には、側壁１４０の内側に突出した突部１４８が複数設けられている。シャーシ１００は例えば金属製である。突部１４８は、当接部に相当する。
【００１３】
図２は、ＨＤＤユニット１の分解斜視図である。
ＨＤＤユニット１は、ハードディスク（以下、ＨＤＤと称する）１０、ケース２０、緩衝部材３０、規制体４０を含む。ＨＤＤ１０は、記憶媒体に相当する。ケース２０は、ＨＤＤ１０を保持している。ケース２０は例えば合成樹脂製である。緩衝部材３０は、ＨＤＤ１０及びケース２０を包囲する。緩衝部材３０は弾性変形可能な金属製である。規制体４０は、詳しくは後述するが緩衝部材３０の状態を切り替える。緩衝部材３０、規制体４０は、緩衝装置に相当する。ＨＤＤ１０、ケース２０は、緩衝の対象物に相当する。
【００１４】
ＨＤＤ１０は、ネジによりケース２０に固定されている。ケース２０は、底壁２２、正面壁２３、２つの側壁２４、を含む。ＨＤＤ１０の上面１１はケース２０から露出している。正面壁２３には、レバー２８が設けられている。レバー２８は、正面壁２３に対して開閉可能に設けられている。レバー２８は、軸部２８５回りに回転可能に支持されている。また、正面壁２３には、突壁２３１が設けられている。突壁２３１には、係合孔２３３が設けられている。レバー２８には、先端に把持部２８１が設けられている。また、レバー２８は、レバー２８を閉じた際に係合孔２３３と係合する係合部２８３が設けられている。レバー２８は、押圧部、開閉体に相当する。
【００１５】
緩衝部材３０は、上部３１、低部３２、正面部３３、２つの側部３４を含む。正面部３３は、緩衝部材３０の先端側に位置する。側部３４は、緩衝部材３０の基端側に位置する。上部３１、低部３２、正面部３３には、弾性変形を容易にするため及び軽量化を図るために複数の孔が形成されている。２つの側部３４のそれぞれには、係合孔３５が形成されている。
【００１６】
図２においては規制体４０はＨＤＤユニット１つしか示されていないが、ＨＤＤユニット１は規制体４０を２つ有している。２つの規制体４０は、２つの係合孔３５と係合する。規制体４０には、薄肉部４１、先端部４２、折曲部４３を含む。薄肉部４１は先端部４２よりも僅かに薄厚である。薄肉部４１には略円形の係合突起４５が形成されている。また、先端部４２の下方には傾斜部４８が形成されている。折曲部４３は、先端部４２から略垂直方向に曲げられている。
【００１７】
図３Ａ、３Ｂは、ＨＤＤユニット１の説明図である。尚、図３Ａ、３Ｂでは、レバー２８が開いた状態を示している。
緩衝部材３０は、ＨＤＤ１０及びケース２０を包囲する。正面部３３と底壁２２とが対向し、上面１１と上部３１とが対向している。低部３２は、底壁２２と接触していない。緩衝部材３０は、ＨＤＤ１０及びケース２０に対して、長手方向にスライド可能に組みつけられている。
【００１８】
規制体４０は、側部３４とＨＤＤ１０の側面１４とに挟まれる。また、係合孔３５と係合突起４５とが係合している。折曲部４３と側壁２４との端部とが当接している。これにより、規制体４０の姿勢が保たれている。図３Ｂに示すように、レバー２８が開いた状態では上部３１、低部３２は平坦な状態である。このため、上部３１、低部３２と、ＨＤＤ１０との隙間は小さい。
【００１９】
図４Ａ、４Ｂは、緩衝部材３０が撓んだ状態でのＨＤＤユニット１の説明図である。
レバー２８が閉じられると、係合部２８３と係合孔２３３とが係合する。これにより、正面部３３は緩衝部材３０の長手方向に押されて、正面部３３と正面壁２３とが当接する。一方、詳しくは後述するが、規制体４０はレバー２８の押圧による緩衝部材３０のスライドを規制している。このため、レバー２８と規制体４０とにより、緩衝部材３０は圧縮されて、図４Ａ、Ｂに示すように、上部３１、低部３２がＨＤＤ１０の外側に撓む。
【００２０】
緩衝部材３０が撓むことにより、上部３１、低部３２と、ＨＤＤ１０との隙間が大きくなる。緩衝部材３０は弾性変形可能であり、ＨＤＤ１０に対して外側に撓むことにより、ＨＤＤ１０、ケース２０を衝撃から保護している。例えば、ＨＤＤユニット１を携帯する際に緩衝部材３０を撓み状態にすることにより、ＨＤＤ１０、ケース２０を衝撃から保護することができる。また、緩衝部材３０が撓むことによりＨＤＤユニット１の厚みが増す。緩衝を優先する場合には、このように緩衝部材３０を撓み状態にする。
【００２１】
図４Ｃは、係合孔３５の説明図である。尚、図４Ｃは、緩衝部材３０が撓んだ撓み状態での係合孔３５を示している。
係合孔３５は、略Ｌ字状に形成されている。係合孔３５は、略垂直方向に延びた第１領域３５ａ、略水平方向の延びた第２領域３５ｂ、を含む。第１領域３５ａ、第２領域３５ｂは、略直交している。撓み状態においては、係合突起４５は第１領域３５ａの下端に位置している。従って、撓み状態においては、規制体４０は緩衝部材３０に対して最も下側に位置している。第１領域３５ａの下端に係合突起４５が位置することにより、レバー２８に押されることに起因する緩衝部材３０のスライドが規制される。
【００２２】
図５Ａは、５Ｂは、緩衝部材３０が平坦な状態でのＨＤＤユニット１の説明図である。尚、図５Ａは、レバー２８が開いた状態を示しめしている。
図５Ａに示すように、係合孔３５内での係合突起４５の位置は、図４Ｃに示した場合と異なっている。詳しくは後述する。図５Ａに示した状態でレバー２８が閉じられると、緩衝部材３０はレバー２８に押圧されてスライドし、図５Ｂに示した状態になる。図５Ｂに示すように、レバー２８が閉じられた場合であっても緩衝部材３０は平坦状態を保つ。平坦状態では、緩衝部材３０はＨＤＤ１０、ケース２０の緩衝の効果は小さい。平坦状態での緩衝部材３０は、撓み状態での緩衝部材３０と比較して、厚みが薄い。小型化を優先する場合には、このように緩衝部材を平坦状態にする。
【００２３】
図６Ａ、Ｂは、平坦状態での係合孔３５の説明図である。図６Ａは、レバー２８が閉じられる前の状態であり、図６Ｂは、レバー２８が閉じられた後の状態である。
図６Ａに示すように、係合突起４５は、第１領域３５ａと第２領域３５ｂとの間に位置している。この状態でレバー２８が閉じられると、係合突起４５は相対的に第２領域３５ｂ内を移動する。これにより、緩衝部材３０のスライドが許容される。従って、図６Ｂに示すように、係合突起４５は第２領域３５ｂ内に位置する。レバー２８の押圧による緩衝部材３０のスライドが許容されるため、緩衝部材３０は撓まずに平坦を維持する。以上のように、規制体４０は緩衝部材３０との位置関係に応じて緩衝部材３０を撓み状態又は平坦状態に切り替える。
【００２４】
図７Ａ、Ｂは、ＨＤＤユニット１の収納の説明図である。
ＨＤＤユニット１をシャーシ１００に収納する際には、レバー２８を開いた状態にする。この状態のままＨＤＤユニット１をシャーシ１００に挿入すると、図７Ａに示すように、規制体４０の傾斜部４８が突部１４８に当接する。更にＨＤＤユニット１を挿入すると、突部１４８により、規制体４０が緩衝部材３０に対して上方側に移動する。即ち、係合突起４５が第１領域３５ａの下端の位置から、図６Ａに示した位置へと移動する。その状態でレバー２８を閉じると、緩衝部材３０のスライドが許容されるため緩衝部材３０は平坦状態が保たれる。
【００２５】
このように、収納する際に緩衝部材３０が平坦状態に保たれることにより、限られたスペース内で多くの緩衝部材３０を収納することができる。また、ＨＤＤユニット１をシャーシ１００に収納しない場合であっても、緩衝部材３０を平坦な状態にすることによりＨＤＤユニット１を安定した状態で据え置きすることができる。
【００２６】
以上のように、本実施例のＨＤＤユニット１は、緩衝を優先する状態と小型化を優先する状態とを切り替えることができる。また、小型化を優先する状態においては、緩衝部材３０は平坦状態となるため、緩衝部材３０を含むＨＤＤユニット１の大きさを小さい状態に保つことができる。
【００２７】
また、緩衝部材３０に対する規制体４０の位置に応じて、緩衝部材３０を撓み状態又は平坦状態に切り替えることができる。これにより、簡単な操作によって緩衝部材３０の状態を切り替えることができる。
【００２８】
例えば、対象物を包囲するエアクッションを用いることにより対象物を緩衝する場合を想定する。エアクッション内のエアを排出又は導入することにより、対象物を緩衝する状態又は緩衝しない状態に切り替えることができる。しかしながら、エアクッション内のエアの排出又は導入を簡単な操作で行うことは難しい。また、短時間でエアクッション内のエアを排出又は導入することは難しい。本実施例のように、規制体４０の位置を変更してレバー２８を閉じるだけで、簡単に緩衝する状態又は緩衝しない状態に切り替えることができる。
【００２９】
また、上述したように緩衝部材３０はレバー２８に押圧される。レバー２８を用いて緩衝部材３０を押圧することにより、少ない力で緩衝部材３０を撓み状態にすることができる。
【００３０】
レバー２８が開いた状態、即ちレバー２８が緩衝部材３０を押圧していない状態においては、緩衝部材３０に対する規制体４０の位置を容易に変更することができる。
【００３１】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３２】
衝撃から保護される対象物は、記憶媒体に限られない。
レバー２８は、ケース２０に開閉可能に設けられている。しかしながら、ケース２０とは個別に設けられ、ケース２０と係合することにより緩衝部材３０をスライド方向に押圧可能な押圧部材を採用してもよい。
【符号の説明】
【００３３】
１  ＨＤＤユニット（記憶媒体保持装置）
１０  ＨＤＤ（記憶媒体、対象物）
２０  ケース（対象物）
２８  レバー（切替機構、開閉体）
３０  緩衝部材
４０  規制体（切替機構）
１００  シャーシ（収納装置）
【図１】
2010280396.tif 000003
【図２】
2010280396.tif 000004
【図３】
2010280396.tif 000005
【図４】
2010280396.tif 000006
【図５】
2010280396.tif 000007
【図６】
2010280396.tif 000008
【図７】
2010280396.tif 000009